(57)【特許請求の範囲】
【請求項１】
コンテンツを一覧表示する端末装置に、前記端末装置を利用するユーザへ通知する前記コンテンツの配信サービス以外であって前記ユーザが利用中のサービスにおける前記ユーザに関するサービス情報に基づく通知情報であって、前記コンテンツ間に予め差し込まれ、前記コンテンツとともに一覧表示される通知情報を配信する配信部、
を備えたことを特徴とする配信装置。
【請求項２】
前記端末装置から配信要求を受け付ける受付部、
をさらに備え、
前記配信部は、
前記配信要求を送信した前記端末装置に、前記通知情報を配信する、
ことを特徴とする請求項１に記載の配信装置。
【請求項３】
前記配信部は、
前記コンテンツの配信サービス以外のサービスに関する前記通知情報を配信する、
ことを特徴とする請求項１または請求項２に記載の配信装置。
【請求項４】
前記配信部は、
前記コンテンツの配信サービス以外のサービスの利用を促す前記通知情報を配信する、
ことを特徴とする請求項３に記載の配信装置。
【請求項５】
前記配信部は、
前記通知情報として、メールサービスに関する情報、または電子商取引サービスに関する情報、または気象情報サービスに関する情報、または地震情報サービスに関する情報、またはトレンドに関する情報、またはメッセージサービスに関する情報、またはソーシャルネットワーキングサービスサービスに関する情報、または音楽配信サービスに関する情報、または動画配信サービスに関する情報、または株価情報サービスに関する情報、または通話サービスに関する情報、または位置情報サービスに関する情報を配信する、
ことを特徴とする請求項１〜４のいずれか１項に記載の配信装置。
【請求項６】
前記配信部は、
前記コンテンツがスクロール方向に並べて表示される前記端末装置に、前記コンテンツ間に配置して表示される前記通知情報を配信する、
ことを特徴とする請求項１〜５のいずれか１項に記載の配信装置。
【請求項７】
前記配信部は、
前記コンテンツの各々が複数の表示形式のいずれかにより表示される前記端末装置に、前記複数の表示形式から選択される表示形式で表示される前記通知情報を配信する、
ことを特徴とする請求項６に記載の配信装置。
【請求項８】
前記配信部は、
前記コンテンツが所定の表示形式により表示される前記端末装置に、前記所定の表示形式で表示される前記通知情報を配信する、
ことを特徴とする請求項６または請求項７に記載の配信装置。
【請求項９】
前記配信部は、
前記通知情報を表示中のコンテンツ間に差し込ませて表示する前記端末装置に、前記通知情報を配信する、
ことを特徴とする請求項１〜８のいずれか１項に記載の配信装置。
【請求項１０】
前記配信部は、
前記通知情報が所定の条件を満たす場合、前記端末装置に前記通知情報を配信する、
ことを特徴とする請求項１〜９のいずれか１項に記載の配信装置。
【請求項１１】
コンピュータが実行する配信方法であって、
コンテンツを一覧表示する端末装置に、前記端末装置を利用するユーザへ通知する前記コンテンツの配信サービス以外であって前記ユーザが利用中のサービスにおける前記ユーザに関するサービス情報に基づく通知情報であって、前記コンテンツ間に予め差し込まれ、前記コンテンツとともに一覧表示される通知情報を配信する配信工程、
を含むことを特徴とする配信方法。
【請求項１２】
コンテンツを一覧表示する端末装置に、前記端末装置を利用するユーザへ通知する前記コンテンツの配信サービス以外であって前記ユーザが利用中のサービスにおける前記ユーザに関するサービス情報に基づく通知情報であって、前記コンテンツ間に予め差し込まれ、前記コンテンツとともに一覧表示される通知情報を配信する配信手順、
をコンピュータに実行させることを特徴とする配信プログラム。
【請求項１３】
端末装置であって、
コンテンツの配信サービス以外であって前記端末装置を利用するユーザが利用中のサービスにおける前記ユーザに関するサービス情報に基づく通知情報であって、前記コンテンツ間に予め差し込まれる通知情報を受信する受信部と、
前記受信部により受信された前記通知情報を、前記通知情報以外のコンテンツとともに一覧表示する表示部と、
を備えたことを特徴とする端末装置。
【請求項１４】
端末装置に実行させる表示プログラムであって、
コンテンツの配信サービス以外であって前記端末装置を利用するユーザが利用中のサービスにおける前記ユーザに関するサービス情報に基づく通知情報であって、前記コンテンツ間に予め差し込まれる通知情報を受信する受信手順と、
前記受信手順により受信された前記通知情報を、前記通知情報以外のコンテンツとともに一覧表示する表示手順と、
を端末装置に実行させることを特徴とする表示プログラム。
【請求項１５】
コンテンツを一覧表示する端末装置に、前記コンテンツの配信サービス以外であって前記端末装置を利用するユーザが所定の登録を行ったサービスにより前記ユーザに通知される通知情報であって、前記コンテンツ間に予め差し込まれ、前記コンテンツとともに一覧表示される通知情報を配信する配信部、
を備えたことを特徴とする配信装置。
【請求項１６】
コンピュータが実行する配信方法であって、
コンテンツを一覧表示する端末装置に、前記コンテンツの配信サービス以外であって前記端末装置を利用するユーザが所定の登録を行ったサービスにより前記ユーザに通知される通知情報であって、前記コンテンツ間に予め差し込まれ、前記コンテンツとともに一覧表示される通知情報を配信する配信工程、
を含むことを特徴とする配信方法。
【請求項１７】
コンテンツを一覧表示する端末装置に、前記コンテンツの配信サービス以外であって前記端末装置を利用するユーザが所定の登録を行ったサービスにより前記ユーザに通知される通知情報であって、前記コンテンツ間に予め差し込まれ、前記コンテンツとともに一覧表示される通知情報を配信する配信手順、
をコンピュータに実行させることを特徴とする配信プログラム。
【請求項１８】
端末装置であって、
コンテンツの配信サービス以外であって前記端末装置を利用するユーザが所定の登録を行ったサービスにより前記ユーザに通知される通知情報であって、前記コンテンツ間に予め差し込まれる通知情報を受信する受信部と、
前記受信部により受信された前記通知情報を、前記通知情報以外のコンテンツとともに一覧表示する表示部と、
を備えたことを特徴とする端末装置。
【請求項１９】
端末装置に実行させる表示プログラムであって、
コンテンツの配信サービス以外であって前記端末装置を利用するユーザが所定の登録を行ったサービスにより前記ユーザに通知される通知情報であって、前記コンテンツ間に予め差し込まれる通知情報を受信する受信手順と、
前記受信手順により受信された前記通知情報を、前記通知情報以外のコンテンツとともに一覧表示する表示手順と、
を端末装置に実行させることを特徴とする表示プログラム。
【請求項２０】
広告を含むコンテンツを一覧表示する端末装置に、前記端末装置を利用するユーザへ通知する前記コンテンツ以外の通知情報であって、前記コンテンツ間に予め差し込まれ、前記コンテンツとともに一覧表示される通知情報を配信する配信部、
を備えたことを特徴とする配信装置。
【請求項２１】
前記配信部は、
前記コンテンツと同じ表示形式で表示される前記通知情報を配信する
を備えたことを特徴とする請求項２０に記載の配信装置。
【請求項２２】
コンピュータが実行する配信方法であって、
広告を含むコンテンツを一覧表示する端末装置に、前記端末装置を利用するユーザへ通知する前記コンテンツ以外の通知情報であって、前記コンテンツ間に予め差し込まれ、前記コンテンツとともに一覧表示される通知情報を配信する配信工程、
を含むことを特徴とする配信方法。
【請求項２３】
広告を含むコンテンツを一覧表示する端末装置に、前記端末装置を利用するユーザへ通知する前記コンテンツ以外の通知情報であって、前記コンテンツ間に予め差し込まれ、前記コンテンツとともに一覧表示される通知情報を配信する配信手順、
をコンピュータに実行させることを特徴とする配信プログラム。
【請求項２４】
端末装置であって、
前記端末装置を利用するユーザへの通知情報であって、前記端末装置に一覧表示されるコンテンツ間に予め差し込まれる通知情報を受信する受信部と、
前記受信部により受信された前記通知情報を、広告を含むコンテンツとともに一覧表示する表示部と、
を備えたことを特徴とする端末装置。
【請求項２５】
端末装置に実行させる表示プログラムであって、
前記端末装置を利用するユーザへの通知情報であって、前記端末装置に一覧表示されるコンテンツ間に予め差し込まれる通知情報を受信する受信手順と、
前記受信手順により受信された前記通知情報を、広告を含むコンテンツとともに一覧表示する表示手順と、
を端末装置に実行させることを特徴とする表示プログラム。
【請求項２６】
コンテンツを一覧表示する端末装置に、前記端末装置を利用するユーザへ通知する前記コンテンツ以外であり広告ではない通知情報であって、前記コンテンツ間に予め差し込まれ、前記コンテンツとともに一覧表示される通知情報を配信する配信部、
を備えたことを特徴とする配信装置。
【請求項２７】
前記配信部は、
前記コンテンツと同じ表示形式で表示される前記通知情報を配信する
を備えたことを特徴とする請求項２６に記載の配信装置。
【請求項２８】
コンピュータが実行する配信方法であって、
コンテンツを一覧表示する端末装置に、前記端末装置を利用するユーザへ通知する前記コンテンツ以外であり広告ではない通知情報であって、前記コンテンツ間に予め差し込まれ、前記コンテンツとともに一覧表示される通知情報を配信する配信工程、
を含むことを特徴とする配信方法。
【請求項２９】
コンテンツを一覧表示する端末装置に、前記端末装置を利用するユーザへ通知する前記コンテンツ以外であり広告ではない通知情報であって、前記コンテンツ間に予め差し込まれ、前記コンテンツとともに一覧表示される通知情報を配信する配信手順、
をコンピュータに実行させることを特徴とする配信プログラム。
【請求項３０】
端末装置であって、
前記端末装置を利用するユーザへの広告ではない通知情報であって、前記端末装置に一覧表示されるコンテンツ間に予め差し込まれる通知情報を受信する受信部と、
前記受信部により受信された前記通知情報を、前記通知情報以外のコンテンツとともに一覧表示する表示部と、
を備えたことを特徴とする端末装置。
【請求項３１】
端末装置に実行させる表示プログラムであって、
前記端末装置を利用するユーザへの広告ではない通知情報であって、前記端末装置に一覧表示されるコンテンツ間に予め差し込まれる通知情報を受信する受信手順と、
前記受信手順により受信された前記通知情報を、前記通知情報以外のコンテンツとともに一覧表示する表示手順と、
を端末装置に実行させることを特徴とする表示プログラム。
【請求項３２】
コンテンツを一覧表示する端末装置に、前記端末装置を利用するユーザへ通知する前記コンテンツ以外の通知情報であって、前記コンテンツ間に予め差し込まれ、前記コンテンツとともに一覧表示され、前記ユーザにより選択された場合に所定のアプリケーションが起動される通知情報を配信する配信部、
を備えたことを特徴とする配信装置。
【請求項３３】
コンピュータが実行する配信方法であって、
コンテンツを一覧表示する端末装置に、前記端末装置を利用するユーザへ通知する前記コンテンツ以外の通知情報であって、前記コンテンツ間に予め差し込まれ、前記コンテンツとともに一覧表示され、前記ユーザにより選択された場合に所定のアプリケーションが起動される通知情報を配信する配信工程、
を含むことを特徴とする配信方法。
【請求項３４】
コンテンツを一覧表示する端末装置に、前記端末装置を利用するユーザへ通知する前記コンテンツ以外の通知情報であって、前記コンテンツ間に予め差し込まれ、前記コンテンツとともに一覧表示され、前記ユーザにより選択された場合に所定のアプリケーションが起動される通知情報を配信する配信手順、
をコンピュータに実行させることを特徴とする配信プログラム。
【請求項３５】
端末装置であって、
前記端末装置を利用するユーザへの通知情報であって、前記ユーザにより選択された場合に所定のアプリケーションが起動される通知情報であって、前記端末装置に一覧表示されるコンテンツ間に予め差し込まれる通知情報を受信する受信部と、
前記受信部により受信された前記通知情報を、前記通知情報以外のコンテンツとともに一覧表示する表示部と、
を備えたことを特徴とする端末装置。
【請求項３６】
端末装置に実行させる表示プログラムであって、
前記端末装置を利用するユーザへの通知情報であって、前記ユーザにより選択された場合に所定のアプリケーションが起動される通知情報であって、前記端末装置に一覧表示されるコンテンツ間に予め差し込まれる通知情報を受信する受信手順と、
前記受信手順により受信された前記通知情報を、前記通知情報以外のコンテンツとともに一覧表示する表示手順と、
を端末装置に実行させることを特徴とする表示プログラム。
【発明の詳細な説明】
【技術分野】
【０００１】
本発明は、配信装置、配信方法、配信プログラム、端末装置、及び表示プログラムに関する。
【背景技術】
【０００２】
近年、ユーザが閲覧中のコンテンツとは異なる情報を通知する技術が提供されている。例えば、地震や津波などの災害が発生した場合に、ユーザに災害に係る情報を提供する技術が提供されている。
【先行技術文献】
【特許文献】
【０００３】
【特許文献１】特開２００７−０６６２８７号公報
【発明の概要】
【発明が解決しようとする課題】
【０００４】
しかしながら、上記の従来技術ではユーザに適切に情報を通知することが難しい。例えば、ユーザに視認されにくい位置に通知する情報が表示された場合、表示した情報がユーザに視認されない可能性が高くなり、ユーザに適切に情報を通知することは難しい。また、例えば、ポップアップ表示などのようにコンテンツに重畳して通知する情報が表示された場合、ユーザの満足度が低下する可能性が高くなり、ユーザに適切に情報を通知することは難しい。
【０００５】
本願は、上記に鑑みてなされたものであって、ユーザに適切に情報を通知する配信装置、配信方法、配信プログラム、端末装置、及び表示プログラムを提供することを目的とする。
【課題を解決するための手段】
【０００６】
本願に係る配信装置は、コンテンツを一覧表示する端末装置に、前記端末装置を利用するユーザへ通知する前記コンテンツ以外の通知情報であって、前記コンテンツとともに一覧表示される通知情報を配信する配信部と、を備えたことを特徴とする。
【発明の効果】
【０００７】
実施形態の一態様によれば、ユーザに適切に情報を通知することができるという効果を奏する。
【図面の簡単な説明】
【０００８】
【図１】図１は、実施形態に係る配信処理の一例を示す図である。
【図２】図２は、実施形態に係る配信装置の構成例を示す図である。
【図３】図３は、実施形態に係るコンテンツ情報記憶部の一例を示す図である。
【図４】図４は、実施形態に係る広告情報記憶部の一例を示す図である。
【図５】図５は、実施形態に係る端末装置の構成例を示す図である。
【図６】図６は、実施形態に係る通知情報を配信する処理の一例を示すフローチャートである。
【図７】図７は、実施形態に係る通知情報を表示する処理の一例を示すフローチャートである。
【図８】図８は、実施形態に係る端末装置における通知情報の表示の一例を示す図である。
【図９】図９は、変形例１に係る配信処理の一例を示す図である。
【図１０】図１０は、変形例１に係る配信装置の構成例を示す図である。
【図１１】図１１は、変形例１に係るサービス情報の一例を示す図である。
【図１２】図１２は、変形例１に係る通知情報を配信する処理の一例を示すフローチャートである。
【図１３】図１３は、変形例１に係る通知情報を表示する処理の一例を示すフローチャートである。
【図１４】図１４は、変形例２に係る配信処理の一例を示す図である。
【図１５】図１５は、端末装置におけるコンテンツの表示態様の一例を示す図である。
【図１６】図１６は、配信装置の機能を実現するコンピュータの一例を示すハードウェア構成図である。
【発明を実施するための形態】
【０００９】
以下に、本願に係る配信装置、配信方法、配信プログラム、端末装置、及び表示プログラムを実施するための形態（以下、「実施形態」と呼ぶ）について図面を参照しつつ詳細に説明する。なお、この実施形態により本願に係る配信装置、配信方法、配信プログラム、端末装置、及び表示プログラムが限定されるものではない。また、以下の各実施形態において同一の部位には同一の符号を付し、重複する説明は省略される。
【００１０】
（実施形態）
〔１．配信処理〕
まず、図１を用いて、実施形態に係る配信処理の一例について説明する。図１は、実施形態に係る配信処理の一例を示す図である。図１に示す配信装置１００は、所定のコンテンツを配信する配信サービスを提供する。なお、配信装置１００が配信するコンテンツは、記事を含むコンテンツや、画像を含むコンテンツや動画像を含むコンテンツなど種々のコンテンツが含まれる。また、配信装置１００が配信するコンテンツは、いわゆる広告コンテンツであってもよい。以下、配信装置１００が配信するコンテンツを「配信コンテンツ」と称する場合がある。
【００１１】
また、配信装置１００が配信する配信コンテンツは、端末装置１０において一覧表示される。そして、配信装置１００は、ユーザへ通知する配信コンテンツ以外の通知情報であって、配信コンテンツとともに一覧表示される通知情報を、端末装置１０に配信する。
【００１２】
図１に示すように、配信システム１は、端末装置１０と、外部装置５０と、配信装置１００とが含まれる。端末装置１０と、外部装置５０と、配信装置１００とは図示しない所定の通信網を介して、有線または無線により通信可能に接続される。なお、図１に示した配信システム１には、複数台の端末装置１０や、複数台の外部装置５０や、複数台の配信装置１００が含まれてもよい。
【００１３】
端末装置１０は、ユーザによって利用される情報処理装置である。端末装置１０は、ユーザによる操作を受け付ける。図１に示す例において端末装置１０は、ユーザの操作により所定のブラウザアプリ（以下、単に「ブラウザ」とする場合がある）を起動する。そして、端末装置１０は、ユーザの操作によりブラウザに表示するコンテンツを配信装置１００へ要求する。なお、端末装置１０は、ブラウザに限らず、配信装置１００が配信する配信コンテンツを表示するためのアプリケーションにより配信コンテンツを表示してもよい。
【００１４】
また、以下では、端末装置１０をユーザと表記する場合がある。すなわち、以下では、ユーザを端末装置１０と読み替えることもできる。なお、端末装置１０は、例えば、スマートフォンや、タブレット型端末や、ノート型ＰＣ（Personal  Computer）や、デスクトップＰＣや、携帯電話機や、ＰＤＡ（Personal  Digital  Assistant）等により実現される。図１に示す例においては、端末装置１０がタッチパネル機能を有するスマートフォンである場合を示す。また、端末装置１０は、端末装置１０を利用するユーザへの通知情報を配信装置１００から受信する。また、端末装置１０は、受信した通知情報を配信装置１００が配信する配信コンテンツとともに一覧表示する。
【００１５】
配信装置１００は、端末装置１０に配信コンテンツや通知情報を配信するサービスを提供する情報処理装置である。図１に示す例において、配信装置１００は、端末装置１０から配信要求を受け付け、端末装置１０において起動されたブラウザ中のウェブページ（以下、単に「ページ」とする場合がある）に一覧表示される配信コンテンツを配信する。また、配信装置１００は、ユーザへ通知する配信コンテンツ以外の通知情報であって、配信コンテンツとともに一覧表示される通知情報を端末装置１０に配信する。
【００１６】
外部装置５０は、配信装置１００が提供する配信サービス以外のサービスを提供する情報処理装置である。なお、外部装置５０は、配信装置１００が提供する配信サービス以外のサービスであれば、どのようなサービスを提供する情報処理装置であってもよい。例えば、外部装置５０は、メールサービスを提供する情報処理装置であってもよく、電子商取引サービスを提供する情報処理装置であってもよく、天気予報サービスを提供する情報処理装置であってもよい。また、外部装置５０は、配信装置１００以外の配信サービスを行う情報処理装置であってもよい。なお、図１においては、外部装置５０が、メールサービスを提供する情報処理装置である場合を例として説明する。
【００１７】
以下、図１を用いて、配信処理の一例を説明する。図１に示す例においては、ユーザがユーザＩＤ「Ｕ１」により識別されるユーザ（以下、「ユーザＵ１」とする場合がある）である場合を示す。また、図１においては、ユーザＵ１は、外部装置５０が提供するメールサービスを利用中のユーザであるとする。
【００１８】
図１に示すように、ユーザＵ１は端末装置１０で起動されたブラウザを操作し、配信装置１００にコンテンツの配信要求を送信する（ステップＳ１１）。例えば、図１においては図示を省略するが、ユーザがブラウザのアドレスバーに配信装置１００のＵＲＬ（Uniform  Resource  Locator）を入力することにより、配信装置１００にコンテンツの配信を要求する。
【００１９】
端末装置１０から配信要求を受け付けた配信装置１００は、端末装置１０に配信装置１００が提供する配信サービスの配信コンテンツを配信する（ステップＳ１２）。そして、端末装置１０は、配信装置１００から受信した配信コンテンツを表示する（ステップＳ１３）。すなわち、端末装置１０は、ブラウザ中のページＷ１１に配信コンテンツを一覧表示する。図１に示す例においては、端末装置１０中のページＷ１１には、コンテンツＣＴ１１、コンテンツＣＴ１２、広告コンテンツＡＣ１１、コンテンツＣＴ１３の順に上下方向に並んで一覧表示される。このように、端末装置１０において、配信コンテンツは所定の方向に並べて一覧表示される。具体的には、配信コンテンツはスクロール方向（図１においては上下方向）に並べて表示される。なお、以下では、配信コンテンツに含まれる広告コンテンツを他のコンテンツと区別しない場合は、広告コンテンツを単にコンテンツとする場合がある。
【００２０】
なお、ページＷ１１に表示されたコンテンツＣＴ１１〜１３、広告コンテンツＡＣ１１は配信コンテンツの一部であり、ユーザは端末装置１０の表示画面にタッチした指Ｆ１を下から上へ移動させる操作（以下、「フリック操作」とする場合がある）をすることにより、表示を下へスクロールさせて、下に続く残りのコンテンツを表示させることができる。
【００２１】
その後、端末装置１０は、サービス情報を配信装置１００へ問い合わせる（ステップＳ１４）。図１に示す例において、端末装置１０は、外部装置５０が提供するメールサービスに関するサービス情報を配信装置１００へ問い合わせる。例えば、端末装置１０は、サービスを識別する情報や端末装置１０を利用するユーザを識別する情報を配信装置１００へ送信することにより、サービス情報を配信装置１００へ問い合わせる。
【００２２】
配信装置１００は、端末装置１０からサービス情報の問合せを受け付けた場合、問合せを受け付けたサービスを提供する外部装置５０に、端末装置１０を利用するユーザＵ１に関する情報を要求する（ステップＳ１５）。図１に示す例において、配信装置１００は、ユーザＵ１に関するメールサービスのサービス情報を外部装置５０に要求する。例えば、配信装置１００は、ユーザを識別する情報を送信することにより、外部装置５０にサービス情報を要求する。
【００２３】
配信装置１００から要求を受け付けた外部装置５０は、端末装置１０を利用するユーザＵ１に関するサービス情報を配信装置１００に送信する（ステップＳ１６）。図１に示す例において、外部装置５０は、ユーザＵ１の新着メールに関する情報を、ユーザＵ１に関するサービス情報として配信装置１００に送信する。
【００２４】
外部装置５０からユーザＵ１に関するサービス情報を受け付けた配信装置１００は、ユーザＵ１に関するサービス情報に基づいて生成した通知情報を端末装置１０へ配信する（ステップＳ１７）。図１に示す例において、配信装置１００は、ユーザＵ１の新着メールに関する情報に基づいて生成した通知情報ＮＣ１１を端末装置１０へ配信する。この場合、配信装置１００は、コンテンツＣＴ１１〜ＣＴ１３と同じ表示態様となるように生成した通知情報を端末装置１０へ配信する。
【００２５】
その後、ユーザＵ１は、指Ｆ１を下から上へフリック操作を行う（ステップＳ１８）。これにより、端末装置１０中のページＷ１１には、コンテンツＣＴ１１〜ＣＴ１３、広告コンテンツＡＣ１１の次のコンテンツが表示される（ステップＳ１９）。ここで、端末装置１０は、次に表示されるコンテンツに通知情報を割り込ませて表示させる。図１に示す例において、端末装置１０中のページＷ１１には、コンテンツＣＴ１４、広告コンテンツＡＣ１２、通知情報ＮＣ１１、コンテンツＣＴ１５の順に上下方向に並んで一覧表示される。このように、端末装置１０において、通知情報ＮＣ１１が、広告コンテンツＡＣ１２とコンテンツＣＴ１５との間に差し込まれて一覧表示される。
【００２６】
図１に示すように、通知情報ＮＣ１１は、外部装置５０が提供するメールサービスにおけるユーザＵ１に関するサービス情報を示す。具体的には、端末装置１０中のページＷ１１には、ユーザＵ１宛に送信された新着メールの送信元と本文の一部を含む通知情報ＮＣ１１が表示される。
【００２７】
ここで、通知情報ＮＣ１１の内容は、ユーザＵ１に新しいメールが届いたことを通知する内容である。言い換えると、通知情報ＮＣ１１の内容は、配信装置１００の配信サービス以外であってユーザが利用中のサービスによりユーザに通知される情報である。具体的には、通知情報ＮＣ１１は、ユーザが利用中のメールサービスを提供する外部装置５０によりユーザＵ１に通知される情報である。
【００２８】
このような内容の通知情報ＮＣ１１を閲覧したユーザＵ１は、外部装置５０が提供するメールサービスのアプリ等を起動して、メールを確認する可能性が高い。すなわち、通知情報ＮＣ１１は、配信コンテンツを提供するサービス以外のサービスの利用を促す情報である。具体的には、通知情報ＮＣ１１は、配信装置１００以外の外部装置５０が提供するメールサービスの利用を促す情報である。
【００２９】
上述したように、配信装置１００は、配信コンテンツ以外で配信コンテンツとともに一覧表示される通知情報を配信する。そして、通知情報を受信した端末装置１０は、配信コンテンツとともに通知情報を一覧表示する。図１に示す例においては、端末装置１０は、コンテンツＣＴ１４、ＣＴ１５、広告コンテンツＡＣ１２とともに、メールサービスに関する通知情報ＮＣ１１を上下方向に並べて一覧表示される。つまり、配信装置１００は、通知情報をユーザが閲覧しているコンテンツとともに表示されるように配信することができるため、通知情報をユーザに視認可能性が高い態様で、ユーザに通知することができる。また、配信装置１００は、配信コンテンツに重畳させることなく、配信コンテンツと調和した態様で通知情報が表示されるように配信することができるため、ユーザの満足度を低下させることなく、通知情報をユーザに適切に通知することができる。すなわち、配信装置１００は、ユーザに適切に情報を通知することができる。
【００３０】
なお、上記の例における通知情報の配信タイミングは一例であり、配信装置１００は、目的に応じて種々のタイミングで通知情報を配信してもよい。例えば、配信装置１００は、ステップＳ１１において端末装置１０から配信要求を受け付けた際に、ステップＳ１５、Ｓ１６の処理を行い、ステップＳ１２において配信コンテンツを配信する際に通知情報も併せて配信してもよい。すなわち、配信装置１００は、配信コンテンツを配信するタイミングで通知情報を配信してもよいし、配信コンテンツの配信と異なるタイミングで通知情報を配信してもよい。
【００３１】
なお、配信コンテンツを配信する情報処理装置と、通知情報を配信する情報処理装置は別体であってもよい。例えば、所定のコンテンツ配信装置が配信コンテンツを配信し、配信装置１００や端末装置１０から要求を受け付けた配信装置１００が端末装置１０やコンテンツ配信装置に通知情報を配信してもよい。例えば、コンテンツ配信装置は、端末装置１０から要求に応じて端末装置１０に配信コンテンツを配信し、通知情報を配信装置１００に問い合わせてもよい。コンテンツ配信装置から問合せを受け付けた配信装置１００は、端末装置１０へ直接通知情報を配信してもよい。つまり、端末装置１０は、配信コンテンツと通知情報との各々を別の装置から配信を受けてもよい。例えば、端末装置１０には、配信コンテンツがコンテンツ配信装置から配信され、配信装置１００から通知情報が配信されてもよい。また、配信装置１００は、コンテンツ配信装置を介して端末装置１０へ通知情報を通知してもよい。すなわち、コンテンツ配信装置が通知情報を問い合せした配信装置１００から受け付けた場合、コンテンツ配信装置は配信装置１００から受け付けた通知情報を端末装置１０に配信する。この場合、配信装置１００と外部装置５０とが、一体であってもよい。
【００３２】
また、上記例における通知情報は一例であり、例えば、外部装置５０がオークションサービスを提供する場合、配信装置１００は、端末装置１０を利用するユーザのオークションに関するサービス情報を受け付け、そのサービス情報に基づいて通知情報を生成してもよい。例えば、配信装置１００は、外部装置５０が提供するオークションサービスにおけるユーザが入札した商品の落札に関する情報やユーザが出品した商品の現在価格に関する情報等を、通知情報として配信してもよい。また、例えば、外部装置５０が気象情報サービスを提供する場合、配信装置１００は、端末装置１０を利用するユーザの気象情報に関するサービス情報を受け付け、そのサービス情報に基づいて通知情報を生成してもよい。例えば、配信装置１００は、外部装置５０が提供する気象情報サービスに登録した位置情報に対応する地域の天気に関する情報等を、通知情報として配信してもよい。また、配信装置１００は、端末装置１０から取得した位置情報を外部装置５０へ送信することにより、外部装置５０からユーザの現在位置に対応する地域の天気に関する情報を取得し、その情報に基づいて、ユーザの現在位置の天気に関する情報を通知情報として配信してもよい。なお、通知情報は、メッセージサービスに関する情報や、またはソーシャルネットワーキングサービスサービスに関する情報や音楽配信サービスに関する情報や動画配信サービスに関する情報や株価情報サービスに関する情報や通話サービスに関する情報や位置情報サービスに関する情報などであってもよい。また、上記の例においては、端末装置１０が、ブラウザにより配信コンテンツを表示する場合を示したが、配信コンテンツの表示は上記に限らず、端末装置１０は、例えば配信コンテンツを閲覧する専用のアプリケーションなどにより、配信コンテンツを表示してもよい。
【００３３】
〔２．配信装置の構成〕
次に、図２を用いて、実施形態に係る配信装置１００の構成について説明する。図２は、実施形態に係る配信装置１００の構成例を示す図である。図２に示すように、配信装置１００は、通信部１１０と、記憶部１２０と、制御部１３０とを有する。なお、配信装置１００は、配信装置１００の管理者等から各種操作を受け付ける入力部（例えば、キーボードやマウス等）や、各種情報を表示するための表示部（例えば、液晶ディスプレイ等）を有してもよい。
【００３４】
通信部１１０は、例えば、ＮＩＣ（Network  Interface  Card）等によって実現される。そして、通信部１１０は、ネットワークと有線または無線で接続され、端末装置１０との間で情報の送受信を行う。
【００３５】
（記憶部１２０）
記憶部１２０は、例えば、ＲＡＭ（Random  Access  Memory）、フラッシュメモリ（Flash  Memory）等の半導体メモリ素子、または、ハードディスク、光ディスク等の記憶装置によって実現される。実施形態に係る記憶部１２０は、図２に示すように、コンテンツ情報記憶部１２１と、広告情報記憶部１２２とを有する。
【００３６】
（コンテンツ情報記憶部１２１）
実施形態に係るコンテンツ情報記憶部１２１は、コンテンツに関する各種情報を記憶する。図３に、実施形態に係るコンテンツ情報記憶部１２１の一例を示す。図３に示すコンテンツ情報記憶部１２１は、「コンテンツＩＤ」、「コンテンツ」、「提供元ＩＤ」、「カテゴリ」といった項目を有する。
【００３７】
「コンテンツＩＤ」は、コンテンツを識別するための識別情報を示す。「コンテンツ」は、いわゆるコンテンツプロバイダ等の提供元から取得したコンテンツを示す。図３では「コンテンツ」に「ＣＴ１１」といった概念的な情報が格納される例を示したが、実際には、静止画像や動画像やテキストデータやＵＲＬ、または、これらの格納場所を示すファイルパス名などが格納される。また、「提供元ＩＤ」は、コンテンツの提供元を識別するための識別情報を示す。「カテゴリ」は、コンテンツの内容に基づく分類情報を示す。
【００３８】
例えば、図３に示す例において、コンテンツＩＤ「ＣＴ１１」により識別されるコンテンツＣＴ１１は、提供元ＩＤ「ＣＰ１１」により識別される提供元から取得したコンテンツであり、その内容はカテゴリ「経済」に分類されることを示す。
【００３９】
なお、コンテンツ情報記憶部１２１は、上記に限らず、目的に応じて種々の情報を記憶してもよい。例えば、コンテンツ情報記憶部１２１は、コンテンツを取得した日時やコンテンツが作成された日時に関する情報を記憶してもよい。
【００４０】
（広告情報記憶部１２２）
実施形態に係る広告情報記憶部１２２は、広告に関する各種情報を記憶する。図４に、実施形態に係る広告情報記憶部１２２の一例を示す。図４に示す広告情報記憶部１２２は、「広告ＩＤ」、「広告」、「広告主ＩＤ」、「商品名」といった項目を有する。
【００４１】
「広告ＩＤ」は、広告を識別するための識別情報を示す。「広告コンテンツ」は、広告主から入稿された広告コンテンツを示す。図４では「広告コンテンツ」に「ＡＣ１１」といった概念的な情報が格納される例を示したが、実際には、静止画像や動画像やテキストデータやＵＲＬ、または、これらの格納場所を示すファイルパス名などが格納される。「広告主ＩＤ」は、広告主を識別するための識別情報を示す。なお、広告主は、入稿作業等を代理店に依頼する場合もある。以下では、「広告主」といった表記は、広告主だけでなく代理店を含む概念であるものとする。「商品名」は、広告の対象となる商品名やサービス名を示す。なお、各商品を識別する情報としては「商品名」に限らず、商品を識別するための「商品ＩＤ」等の情報を記憶してもよい。
【００４２】
例えば、図４に示す例において、広告ＩＤ「Ａ１１」により識別される広告コンテンツＡＣ１１は、広告主ＩＤ「ＡＰ１」により識別される広告主から取得した広告コンテンツであり、その広告の対象となる商品は「車Ａ」であることを示す。
【００４３】
なお、広告情報記憶部１２２は、上記に限らず、目的に応じて種々の情報を記憶してもよい。例えば、広告情報記憶部１２２は、入札価格に関する情報等を記憶してもよい。
【００４４】
（制御部１３０）
図２の説明に戻って、制御部１３０は、例えば、ＣＰＵ（Central  Processing  Unit）やＭＰＵ（Micro  Processing  Unit）等によって、配信装置１００内部の記憶装置に記憶されている各種プログラム（配信プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００４５】
図２に示すように、制御部１３０は、受付部１３１と、生成部１３２と、配信部１３３とを有し、以下に説明する情報処理の機能や作用を実現または実行する。なお、制御部１３０の内部構成は、図２に示した構成に限られず、後述する情報処理を行う構成であれば他の構成であってもよい。また、制御部１３０が有する各処理部の接続関係は、図２に示した接続関係に限られず、他の接続関係であってもよい。
【００４６】
（受付部１３１）
受付部１３１は、外部の情報処理装置から配信要求を受け付ける。例えば、受付部１３１は、端末装置１０から配信要求を受け付ける。図１に示す例において、受付部１３１は、端末装置１０において動作するブラウザによる配信要求を受け付ける。また、受付部１３１は、端末装置１０からサービス情報の問合せを受け付ける。図１に示す例において、受付部１３１は、端末装置１０から外部装置５０が提供するサービスに関するサービス情報の問合せと受け付ける。また、受付部１３１は、外部装置５０からサービス情報を受け付ける。図１に示す例において、受付部１３１は、ユーザＵ１が利用中のサービスを提供する外部装置５０からユーザＵ１に関するサービス情報を受け付ける。
【００４７】
また、受付部１３１は、外部の情報処理装置からコンテンツ情報記憶部１２１に記憶されるコンテンツ情報を受け付けてもよい。この場合、例えば、受付部１３１は、コンテンツプロバイダ等が管理する情報処理装置からコンテンツを受け付ける。また、受付部１３１は、広告主から広告コンテンツの入稿を受け付けてもよい。なお、受付部１３１は、広告主から広告コンテンツの入稿を依頼された代理店から広告コンテンツの入稿を受け付けてもよい。この場合、例えば、受付部１３１は、広告主や代理店が利用する情報処理装置から広告コンテンツの入稿を受け付ける。また、例えば、受付部１３１は、受け付けた広告コンテンツを広告情報記憶部１２２に記憶する。
【００４８】
（生成部１３２）
生成部１３２は、受付部１３１により受け付けられたユーザに関するサービス情報に基づいて、通知情報を生成する。図１に示す例において、生成部１３２は、受付部１３１により受け付けられたユーザに関するサービス情報に基づいて、通知情報ＮＣ１１を生成する。また、生成部１３２は、受付部１３１により外部装置５０が提供するサービスに関するサービス情報の問合せが受け付けられた場合、外部装置５０へサービス情報の問合せを行ってもよい。また、生成部１３２は、外部装置５０へサービス情報の問合せを配信部１３３に行わせてもよい。
【００４９】
生成部１３２は、端末装置１０へ配信する配信コンテンツを生成してもよい。例えば、生成部１３２は、受付部１３１により配信要求が受け付けられた場合、コンテンツ情報記憶部１２１に記憶されたコンテンツや広告情報記憶部１２２に記憶された広告コンテンツを加工して配信コンテンツを生成してもよい。この場合、生成部１３２は、端末装置１０に表示する形式に応じて、コンテンツ情報記憶部１２１に記憶されたコンテンツや広告情報記憶部１２２に記憶された広告コンテンツを加工し、配信コンテンツを生成してもよい。なお、配信装置１００が、コンテンツ情報記憶部１２１に記憶されたコンテンツや広告情報記憶部１２２に記憶された広告コンテンツを、配信コンテンツとして端末装置１０へ配信する場合、生成部１３２は、配信コンテンツの生成をしなくてもよい。
【００５０】
（配信部１３３）
配信部１３３は、コンテンツを一覧表示する端末装置１０に、端末装置１０を利用するユーザへ通知するコンテンツ以外の通知情報であって、コンテンツとともに一覧表示される通知情報を配信する。例えば、配信部１３３は、配信要求に対応する配信コンテンツを一覧表示する端末装置１０に、配信コンテンツとともに一覧表示される通知情報を配信する。例えば、配信部１３３は、配信要求を送信した端末装置１０に、通知情報を配信する。図１に示す例において、配信部１３３は、コンテンツＣＴ１４、ＣＴ１５、広告コンテンツＡＣ１２とともに一覧表示される通知情報ＮＣ１１を端末装置１０へ配信する。また、配信部１３３は、受付部１３１により受け付けられたユーザに関するサービス情報に基づく通知情報ＮＣ１１を配信する。
【００５１】
また、配信部１３３は、コンテンツの配信サービス以外のサービスに関する通知情報を配信する。例えば、配信部１３３は、配信コンテンツを提供するサービス以外のサービスの利用を促す通知情報を配信する。図１に示す例において、配信部１３３は、外部装置５０が提供するメールサービルの利用を促す通知情報ＮＣ１１を端末装置１０へ配信する。また、配信部１３３は、配信装置１００の配信サービス以外であってユーザが利用中のサービスによりユーザに通知される通知情報を配信する。図１に示す例において、配信部１３３は、外部装置５０が提供するメールサービルにおけるユーザＵ１への新着メールの受信を知らせる通知情報ＮＣ１１を端末装置１０へ配信する。例えば、配信部１３３は、通知情報として、メールサービスに関する情報、または電子商取引サービスに関する情報、または気象情報サービスに関する情報、または地震情報サービスに関する情報、またはトレンドに関する情報、またはメッセージサービスに関する情報、またはソーシャルネットワーキングサービスサービスに関する情報、または音楽配信サービスに関する情報、または動画配信サービスに関する情報、または株価情報サービスに関する情報、または通話サービスに関する情報、または位置情報サービスに関する情報を配信する。また、配信部１３３は、通知情報が所定の条件を満たす場合、受付部１３１による配信要求の受け付けに関わらず、端末装置１０に通知情報を配信する。例えば、配信部１３３は、通知情報が例えば警報や注意報等の緊急性を要する情報である場合、受付部１３１により配信要求が受け付けられていない場合であっても、通知情報を生成した後、直ちに端末装置１０に通知情報を配信してもよい。例えば、配信部１３３は、通知情報の緊急度を判定する閾値を用いて、通知情報の緊急度を判定してもよい。この場合、配信部１３３は、通知情報の緊急度が閾値以上である場合、受付部１３１により配信要求が受け付けられていない場合であっても、直ちに端末装置１０に通知情報を配信してもよい。
【００５２】
また、配信部１３３は、コンテンツがスクロール方向に並べて表示される端末装置１０に、コンテンツ間に配置して表示される通知情報を配信する。例えば、配信部１３３は、コンテンツの各々が複数の表示形式のいずれかにより表示される端末装置１０に、複数の表示形式から選択される表示形式で表示される通知情報を配信する。図１に示す例において、配信部１３３は、コンテンツが所定に表示形式により表示される端末装置１０に、所定に表示形式で表示される通知情報ＮＣ１１を配信する。
【００５３】
〔３．端末装置の構成〕
次に、図５を用いて、実施形態に係る端末装置１０の構成について説明する。図５は、実施形態に係る端末装置１０の構成例を示す図である。図５に示すように、端末装置１０は、通信部１１と、記憶部１２と、入力部１３と、出力部１４と、制御部１５とを有する。
【００５４】
（通信部１１）
通信部１１は、例えば、通信回路等によって実現される。そして、通信部１１は、図示しない所定の通信網と有線または無線で接続され、配信装置１００との間で情報の送受信を行う。
【００５５】
（記憶部１２）
記憶部１２は、例えば、ＲＡＭ、フラッシュメモリ等の半導体メモリ素子、または、ハードディスク、光ディスク等の記憶装置によって実現される。記憶部１２は、例えば、端末装置１０にインストールされているアプリケーションに関する情報、例えばプログラム等を記憶する。
【００５６】
（入力部１３）
入力部１３は、ユーザからの各種操作を受け付ける。例えば、入力部１３は、タッチパネル機能により表示面（例えば表示部１５３）を介してユーザからの各種操作を受け付けてもよい。また、入力部１３は、端末装置１０に設けられたボタンや、端末装置１０に接続されたキーボードやマウスからの各種操作を受け付けてもよい。
【００５７】
（出力部１４）
出力部１４は、例えば液晶ディスプレイや有機ＥＬ（Electro-Luminescence）ディスプレイ等によって実現されるタブレット端末等の表示画面であり、各種情報を表示するための表示装置である。
【００５８】
（制御部１５）
制御部１５は、例えば、ＣＰＵやＭＰＵ等によって、端末装置１０内部の記憶部１２などの記憶装置に記憶されている各種プログラムがＲＡＭを作業領域として実行されることにより実現される。例えば、この各種プログラムは、インストールされているアプリケーションのプログラムが含まれる。また、制御部１５は、例えば、ＡＳＩＣやＦＰＧＡ等の集積回路により実現される。
【００５９】
図５に示すように、制御部１５は、要求部１５１と、受信部１５２と、表示部１５３とを有し、以下に説明する配信処理の機能や作用を実現または実行する。なお、制御部１５の内部構成は、図５に示した構成に限られず、後述する配信処理を行う構成であれば他の構成であってもよい。また、制御部１５が有する各処理部の接続関係は、図５に示した接続関係に限られず、他の接続関係であってもよい。
【００６０】
要求部１５１は、入力部１３により受け付けたユーザ操作に従って、配信装置１００へ配信要求を送信する。例えば、要求部１５１は、起動したブラウザ等のアプリからの配信要求を配信装置１００へ送信する。また、要求部１５１は、サービス情報の問合せを要求する。図１に示す例において、要求部１５１は、配信装置１００にサービス情報の問合せを要求する。なお、要求部１５１は、外部装置５０や通知装置へサービス情報の問合せを要求してもよい。
【００６１】
受信部１５２は、配信装置１００から配信された配信コンテンツを受信する。また、受信部１５２は、端末装置１０を利用するユーザへの通知情報を受信する。また、受信部１５２は、受信した配信コンテンツや通知情報を記憶部１２に格納してもよい。図１に示す例において、受信部１５２は、配信装置１００から通知情報を受信する。なお、受信部１５２は、外部装置５０や通知装置から通知情報を受信してもよい。
【００６２】
表示部１５３は、受信部１５２により受信された通知情報を所定のコンテンツとともに一覧表示する。具体的には、表示部１５３は、通知情報を配信コンテンツとともに一覧表示する。また、表示部１５３は、配信コンテンツを所定の方向に並べて一覧表示する。具体的には、表示部１５３は、コンテンツをスクロール方向に並べて表示する。また、表示部１５３は、コンテンツ間に通知情報を配置して表示する。また、表示部１５３は、コンテンツの各々を複数の表示形式のいずれかで表示する。この場合、表示部１５３は、通知情報を複数の表示形式から選択した表示形式で表示する。また、表示部１５３は、コンテンツが所定に表示形式により表示する。この場合、表示部１５３は、コンテンツと同じ表示形式で通知情報を表示する。
【００６３】
図１に示す例においては、表示部１５３は、コンテンツＣＴ１１、コンテンツＣＴ１２、広告コンテンツＡＣ１１、コンテンツＣＴ１３の順に上下方向に並べて、ページＷ１１に一覧表示する。また、表示部１５３は、ユーザのフリック操作等により、表示を下へスクロールさせる操作がされた場合、下に続く残りのコンテンツを表示する。図１に示す例においてユーザのフリック操作がされた後、表示部１５３は、コンテンツＣＴ１１〜ＣＴ１３、広告コンテンツＡＣ１１の次のコンテンツをページＷ１１に表示する。
【００６４】
また、表示部１５３は、次に表示されるコンテンツに通知情報を割り込ませて表示する。図１に示す例において、表示部１５３は、コンテンツＣＴ１４、広告コンテンツＡＣ１２、通知情報ＮＣ１１、コンテンツＣＴ１５の順に上下方向に並べて、ページＷ１１に一覧表示する。具体的には、表示部１５３は、広告コンテンツＡＣ１２とコンテンツＣＴ１５との間に通知情報ＮＣ１１を差し込ませて一覧表示する。このように、表示部１５３は、通知情報ＮＣ１１をコンテンツＣＴ１４、ＣＴ１５、広告コンテンツＡＣ１２とともに一覧表示する。
【００６５】
なお、上述した制御部１５による選択処理等の処理は、例えば、ＪａｖａＳｃｒｉｐｔ（登録商標）などにより実現されてもよい。また、上述した選択処理が所定のアプリケーションにより行われる場合や選択処理が専用アプリにより行われる場合、制御部１５は、例えば、所定のアプリや専用アプリを制御するアプリ制御部を有してもよい。
【００６６】
〔４．配信処理のフロー〕
次に、図６及び図７を用いて、実施形態に係る配信システム１による配信処理の手順について説明する。まず、図６を用いて配信装置１００における通知情報の配信までの処理の流れを示す。図６は、実施形態に係る通知情報を配信する処理の一例を示すフローチャートである。
【００６７】
図６に示すように、配信装置１００の受付部１３１は、端末装置１０から配信要求を受け付ける（ステップＳ１０１）。例えば、図１に示す例において、受付部１３１は、端末装置１０において起動されたブラウザから配信要求を受け付ける。その後、配信装置１００の配信部１３３は、端末装置１０へコンテンツを配信する（ステップＳ１０２）。例えば、配信部１３３は、配信装置１００の生成部１３２により生成された配信コンテンツを端末装置１０へ配信する。そして、受付部１３１は、端末装置１０からサービス情報の問合せを受け付ける（ステップＳ１０３）。なお、ステップＳ１０３は、ステップＳ１０１と同じタイミングで行われてもよいし、ステップＳ１０１の配信要求がサービス情報の問合せを含んでもよい。
【００６８】
サービス情報の問合せを受け付けた配信装置１００は、生成部１３２または配信部１３３により、サービス情報の問合せに対応する外部装置５０に、端末装置１０を利用するユーザに関するサービス情報を要求する（ステップＳ１０４）。図１に示す例において、配信装置１００は、メールサービスを提供する外部装置５０へユーザＵ１に関するサービス情報を要求する。その後、受付部１３１は、外部装置５０からユーザに関するサービス情報を受け付ける（ステップＳ１０５）。図１に示す例において、受付部１３１は、外部装置５０からユーザＵ１に関するサービス情報を受け付ける。
【００６９】
そして、生成部１３２は、ステップＳ１０５において受け付けたサービス情報を基に通知情報を生成する（ステップＳ１０６）。図１に示す例において、生成部１３２は、受付部１３１により外部装置５０から受け付けられたサービス情報を基に、通知情報ＮＣ１１を生成する。なお、配信装置１００が外部装置５０から受け付けたサービス情報を通知情報として、端末装置１０へ配信する場合、ステップＳ１０６の処理を行わなくてもよい。その後、配信部１３３は、通知情報を端末装置１０へ配信する（ステップＳ１０７）。なお、配信部１３３は、ステップＳ１０１において配信コンテンツとともに通知情報を端末装置１０へ配信してもよい。
【００７０】
次に、図７を用いて端末装置１０における通知情報の表示までの処理の流れを示す。図７は、実施形態に係る通知情報を表示する処理の一例を示すフローチャートである。
【００７１】
図７に示すように、端末装置１０の要求部１５１は、配信装置１００へ配信要求を送信する（ステップＳ２０１）。例えば、図１に示す例において、要求部１５１は、端末装置１０において起動されたブラウザによる配信要求を配信装置１００へ送信する。その後、端末装置１０の受信部１５２は、配信装置１００からコンテンツを受信する（ステップＳ２０２）。例えば、受信部１５２は、配信装置１００から配信コンテンツを受信する。そして、端末装置１０の表示部１５３は、配信装置１００から受信したコンテンツを表示する（ステップＳ２０３）。例えば、表示部１５３、配信装置１００から受信した配信コンテンツを表示する。
【００７２】
そして、要求部１５１は、所定のタイミングでサービス情報の問合せを行う（ステップＳ２０４）。なお、ステップＳ２０４は、ステップＳ２０１と同じタイミングで行われてもよいし、ステップＳ２０１の配信要求がサービス情報の問合せを含んでもよい。例えば、図１に示す例において、要求部１５１は、配信装置１００へサービス情報の問合せを行う。なお、要求部１５１は、外部装置５０や通知装置へサービス情報の問合せを行ってもよい。その後、受信部１５２は、通知情報を受信する（ステップＳ２０５）。図１に示す例において、受信部１５２は、配信装置１００から通知情報ＮＣ１１を受信する。なお、受信部１５２は、ステップＳ２０２においてコンテンツとともに通知情報を受信してもよい。
【００７３】
通知情報の受信後において表示するコンテンツを変更した場合（ステップＳ２０６：Ｙｅｓ）、表示部１５３は、コンテンツとともに通知情報を表示する（ステップＳ２０７）。図１に示す例において、ユーザのフリック操作等により表示するコンテンツが変更された場合、表示部１５３は、次のコンテンツとともに通知情報を表示する。具体的には、表示部１５３は、次のコンテンツＣＴ１４、ＣＴ１５、広告コンテンツＡＣ１２とともに通知情報ＮＣ１１を表示する。なお、表示するコンテンツが変更されない場合（ステップＳ２０６：Ｎｏ）、例えば、表示部１５３は、ステップＳ２０６の判定を繰り返す。
【００７４】
〔５．通知情報の表示形式〕
ここで、図８を用いて、通知情報の表示形式について説明する。図８は、実施形態に係る端末装置における通知情報の表示の一例を示す図である。
【００７５】
図１や図８に示すように、配信コンテンツは種々の表示形式により表示される。例えば、コンテンツＣＴ１１と広告コンテンツＡＣ１１とは、表示形式が異なる。具体的には、コンテンツＣＴ１１は、文字情報の左側に正方形状の画像が配置される。また、広告コンテンツＡＣ１１は、全体に一つの画像が表示される。なお、配信コンテンツの表示形式は、目的に応じて適宜選択可能であり、例えば、コンテンツＣＴ１１を広告コンテンツＡＣ１１の表示形式で表示してもよいし、広告コンテンツＡＣ１１をコンテンツＣＴ１１の表示形式で表示してもよい。また、図１に示す例においては、説明のため、各配信コンテンツの上下方向の幅を同じとしたが、スクロール方向（上下方向）の幅が異なる表示形式により、各配信コンテンツが一覧表示されてもよい。
【００７６】
図８に示す端末装置１０中のページＷ１２には、コンテンツＣＴ１４と、広告コンテンツＡＣ１２と、通知情報ＮＣ１２とが上下方向に並べて一覧表示される。ここで、図８に示す例において端末装置１０に一覧表示される通知情報ＮＣ１２は、図１に示す例における通知情報ＮＣ１１とは表示形式が異なる。具体的には、通知情報ＮＣ１２と通知情報ＮＣ１１とはスクロール方向（上下方向）の幅が異なる。また、通知情報ＮＣ１２には、通知情報ＮＣ１１よりも多い文字情報が表示され、通知情報ＮＣ１１では表示されていない添付画像も表示される。また、通知情報ＮＣ１２には、「続きを読む」ボタンも表示される。そのため、ユーザは、例えば「続きを読む」ボタンを押下することにより、外部装置５０が提供するメールサービスのアプリを起動することができる。上述のように、通知情報は、複数の表示形式から通知情報の内容や重要度に応じて選択される表示形式で表示される。すなわち、配信コンテンツや通知情報は、スクロール方向（上下方向）の幅を複数の幅から選択される幅で表示される。言い換えると、配信コンテンツや通知情報は、スクロール方向（上下方向）の幅を変動させて表示されるなお、配信コンテンツも通知情報ＮＣ１２の表示形式で表示されてもよい。
【００７７】
このように、配信装置１００は、コンテンツの各々が複数の表示形式のいずれかにより表示される端末装置１０に、複数の表示形式から選択される表示形式で表示される通知情報を配信する。具体的には、配信装置１００は、コンテンツの各々がスクロール方向の幅を複数の幅から選択される幅で表示される端末装置１０に、スクロール方向の幅が複数の幅から選択される幅で表示される通知情報を配信する。これにより、配信装置１００は、通知情報の内容に応じて適切な表示態様で通知情報を表示させることができる。
【００７８】
〔６．変形例〕
上述した実施形態に係る配信システム１は、上記実施形態以外にも種々の異なる形態にて実施されてよい。そこで、以下では、配信システム１の他の実施形態について説明する。
【００７９】
〔６−１．変形例１：多数のユーザのサービス情報に基づいた通知情報〕
上述した実施形態においてはユーザが利用中のサービスによりユーザに通知される通知情報を配信する場合を例に説明したが、多数のユーザに関するサービス情報に基づいた通知情報を配信してもよい。この点について、図９〜図１３を用いて説明する。図９は、変形例１に係る配信処理の一例を示す図である。なお、実施形態と同一部分には、同一符号を付して説明を省略する。変形例１に係る配信システム２においては、多数のサービス情報に基づいた通知情報が配信される。図９に示す例においては、配信装置２００が、多数のユーザに関するサービス情報に基づいて抽出された急上昇キーワードに関する情報を、通知情報として配信する場合を示す。
【００８０】
〔６−１−１．配信処理〕
まず、図９を用いて、変形例１に係る配信処理の一例について説明する。図９に示す配信装置２００は、所定のコンテンツを配信する配信サービスを提供する。なお、配信装置２００が配信するコンテンツは、記事を含むコンテンツや、画像を含むコンテンツや動画像を含むコンテンツなど種々のコンテンツが含まれる。また、配信装置２００が配信するコンテンツは、いわゆる広告コンテンツであってもよい。以下、配信装置２００が配信するコンテンツを「配信コンテンツ」と称する場合がある。
【００８１】
また、配信装置２００が配信する配信コンテンツは、端末装置１０において一覧表示される。そして、配信装置２００は、ユーザへ通知する配信コンテンツ以外の通知情報であって、配信コンテンツとともに一覧表示される通知情報を、端末装置１０に配信する。
【００８２】
図９に示すように、配信システム２は、端末装置１０と、外部装置５１と、配信装置２００とが含まれる。端末装置１０と、外部装置５１と、配信装置２００とは図示しない所定の通信網を介して、有線または無線により通信可能に接続される。なお、図９に示した配信システム２には、複数台の端末装置１０や、複数台の外部装置５１や、複数台の配信装置２００が含まれてもよい。
【００８３】
配信装置２００は、端末装置１０に配信コンテンツや通知情報を配信するサービスを提供する情報処理装置である。図９に示す例において、配信装置２００は、端末装置１０から配信要求を受け付け、端末装置１０において起動されたブラウザ中のページに一覧表示される配信コンテンツを配信する。また、配信装置２００は、配信コンテンツとともに一覧表示される通知情報を端末装置１０に配信する。
【００８４】
外部装置５１は、配信装置２００が提供する配信サービス以外のサービスを提供する情報処理装置である。例えば、外部装置５１は、Ｔｗｉｔｔｅｒ（登録商標）等のＳＮＳ（Social  Networking  Service）サービスを提供する情報処理装置である。なお、外部装置５１は、配信装置２００が提供する配信サービス以外のサービスであれば、どのようなサービスを提供する情報処理装置であってもよい。例えば、外部装置５１は、ブログ等のサービスを提供する情報処理装置や配信装置２００以外の配信サービスを行う情報処理装置であってもよい。
【００８５】
以下、図９を用いて、配信処理の一例を説明する。図９に示す例においては、ユーザがユーザＵ１である場合を示す。図９に示すように、ユーザＵ１は端末装置１０で起動されたブラウザを操作し、配信装置２００にコンテンツの配信要求を送信する（ステップＳ２１）。例えば、図９においては図示を省略するが、ユーザがブラウザのアドレスバーに配信装置２００のＵＲＬを入力することにより、配信装置２００にコンテンツの配信を要求する。
【００８６】
端末装置１０から配信要求を受け付けた配信装置２００は、端末装置１０に配信装置２００が提供する配信サービスの配信コンテンツを配信する（ステップＳ２２）。そして、端末装置１０は、配信装置２００から受信した配信コンテンツを表示する（ステップＳ２３）。すなわち、端末装置１０は、ブラウザ中のページＷ２１に配信コンテンツを一覧表示する。図９に示す例においては、端末装置１０中のページＷ２１には、コンテンツＣＴ１１、コンテンツＣＴ１２、広告コンテンツＡＣ１１、コンテンツＣＴ１３の順に上下方向に並んで一覧表示される。
【００８７】
なお、ページＷ２１に表示されたコンテンツＣＴ１１〜１３、広告コンテンツＡＣ１１は配信コンテンツの一部であり、ユーザは端末装置１０の表示画面にタッチした指Ｆ１をフリック操作することにより、表示を下へスクロールさせて、下に続く残りのコンテンツを表示させることができる。
【００８８】
また、配信装置２００は、外部装置５１から多数のユーザに関するサービス情報を受け付ける（ステップＳ２４）。例えば、配信装置２００は、定期的（例えば、１０分や１時間等）に外部装置５１から多数のユーザに関するサービス情報を受け付ける。外部装置５１からサービス情報を受け付けた配信装置２００は、受け付けたサービス情報を分析する（ステップＳ２５）。例えば、配信装置２００は、受け付けたサービス情報を分析し、サービス情報に基づく急上昇キーワードを抽出する。図９に示す例においては、配信装置２００は、ステップＳ２５の分析の結果、「うどん」を急上昇ワードとして抽出した場合を示す。
【００８９】
その後、配信装置２００は、分析により抽出した急上昇キーワードに基づいて生成した通知情報を端末装置１０へ配信する（ステップＳ２６）。図９に示す例において、配信装置２００は、急上昇キーワード「うどん」に基づいて生成した通知情報ＮＣ２１を端末装置１０へ配信する。この場合、配信装置２００は、コンテンツＣＴ１１〜ＣＴ１３と同じ表示態様となるように生成した通知情報を端末装置１０へ配信する。
【００９０】
その後、ユーザＵ１は、指Ｆ１を下から上へフリック操作を行う（ステップＳ２７）。これにより、端末装置１０中のページＷ２１には、コンテンツＣＴ１１〜ＣＴ１３、広告コンテンツＡＣ１１の次のコンテンツが表示される（ステップＳ２８）。ここで、端末装置１０は、次に表示されるコンテンツに通知情報を割り込ませて表示させる。図９に示す例において、端末装置１０中のページＷ２１には、コンテンツＣＴ１４、広告コンテンツＡＣ１２、通知情報ＮＣ２１、コンテンツＣＴ１５の順に上下方向に並んで一覧表示される。このように、端末装置１０において、通知情報ＮＣ２１が、広告コンテンツＡＣ１２とコンテンツＣＴ１５との間に差し込まれて一覧表示される。
【００９１】
図９に示すように、通知情報ＮＣ２１は、外部装置５１が提供するＳＮＳサービスにおいて注目され多用されている急上昇キーワードに関する情報を含む。具体的には、端末装置１０中のページＷ２１には、急上昇キーワード「うどん」に関する通知情報ＮＣ２１が表示される。
【００９２】
ここで、通知情報ＮＣ２１の内容は、ユーザＵ１が配信コンテンツを閲覧している時点において、多数のユーザが注目しているキーワードが「うどん」であることを通知する内容である。このような内容の通知情報ＮＣ２１を閲覧したユーザＵ１は、注目されているキーワードがうどんであることを認識して、お店の検索等うどんに関する行動を行う可能性が高い。
【００９３】
また、例えば、通知情報ＮＣ２１が所定のサービスに関するページへのリンクを含む場合、ユーザが通知情報ＮＣ２１を選択することにより、そのページを閲覧する可能性が高い。例えば、通知情報ＮＣ２１は、配信装置２００が提供する配信サービスにおけるうどんに関するコンテンツが表示されるページへのリンクを含んでもよい。この場合、配信装置２００は、ユーザを配信装置２００により提供される配信サービス内を回遊させることができる。すなわち、配信装置２００は、ユーザが配信装置２００により提供される配信サービスを利用する時間をできるだけ長くすることができる。また、配信装置２００は、例えば、通知情報ＮＣ２１が選択された場合に所定のアプリを起動するような通知情報ＮＣ２１を配信することにより、ユーザが通知情報ＮＣ２１を選択した場合に、所定のアプリを起動させてもよい。この場合、通知情報ＮＣ２１は、配信コンテンツを提供するサービス以外のサービスの利用を促す情報である。具体的には、通知情報ＮＣ２１は、所定のサービスの利用を促す情報である。
【００９４】
なお、上記の例における通知情報の配信タイミングは一例であり、配信装置２００は、目的に応じて種々のタイミングで通知情報を配信してもよい。例えば、配信装置２００は、ステップＳ２１において端末装置１０から配信要求を受け付けた際に、ステップＳ２５の処理を行い、ステップＳ２２において配信コンテンツを配信する際に通知情報も併せて配信してもよい。すなわち、配信装置２００は、配信コンテンツを配信するタイミングで通知情報を配信してもよいし、配信コンテンツの配信と異なるタイミングで通知情報を配信してもよい。
【００９５】
〔６−１−２．配信装置の構成〕
次に、図１０を用いて、変形例１に係る配信装置２００の構成について説明する。図１０は、変形例１に係る配信装置の構成例を示す図である。図１０に示すように、配信装置２００は、通信部１１０と、記憶部２２０と、制御部２３０とを有する。なお、配信装置２００は、配信装置２００の管理者等から各種操作を受け付ける入力部（例えば、キーボードやマウス等）や、各種情報を表示するための表示部（例えば、液晶ディスプレイ等）を有してもよい。
【００９６】
（記憶部２２０）
記憶部２２０は、例えば、ＲＡＭ、フラッシュメモリ等の半導体メモリ素子、または、ハードディスク、光ディスク等の記憶装置によって実現される。変形例１に係る記憶部２２０は、図１０に示すように、コンテンツ情報記憶部１２１と、広告情報記憶部１２２と、サービス情報記憶部２２３とを有する。
【００９７】
（サービス情報記憶部２２３）
変形例１に係るサービス情報記憶部２２３は、サービス情報を記憶する。図１１は、変形例１に係るサービス情報記憶部の一例を示す図である。図１１に示すサービス情報記憶部２２３は、「投稿ＩＤ」、「日時」、「投稿ユーザＩＤ」、「内容」といった項目を有する。
【００９８】
「投稿ＩＤ」は、投稿を識別するための識別情報を示す。「日時」は、投稿が登録された日時を示す。「投稿ユーザＩＤ」は、投稿ＩＤにより識別される投稿を行ったユーザを識別するための識別情報を示す。「内容」は、投稿の内容を示す。
【００９９】
例えば、図１１に示す例において、投稿ＩＤ「Ｐ１１」により識別される投稿は、「２０１５年６月１１日１８時４５分３０秒」に登録されたことを示す。また、図４に示す例において、投稿ＩＤ「Ｐ１１」により識別される投稿は、投稿ユーザＩＤ「ＰＵ１１」により識別されるユーザにより投稿され、内容が「ＸＸのうどんが・・・」であることを示す。
【０１００】
なお、サービス情報記憶部２２３は、上記に限らず、目的に応じて種々の情報を記憶してもよい。例えば、サービス情報記憶部２２３は、投稿の引用回数、お気に入りに登録された回数等に関する情報等を記憶してもよい。
【０１０１】
（制御部２３０）
制御部２３０は、例えば、ＣＰＵやＭＰＵ等によって、配信装置２００内部の記憶装置に記憶されている各種プログラム（配信プログラムの一例に相当）がＲＡＭを作業領域として実行されることにより実現される。また、制御部２３０は、例えば、ＡＳＩＣやＦＰＧＡ等の集積回路により実現される。
【０１０２】
図１０に示すように、制御部２３０は、受付部１３１と、生成部２３２と、配信部１３３とを有し、以下に説明する情報処理の機能や作用を実現または実行する。なお、制御部２３０の内部構成は、図１０に示した構成に限られず、後述する情報処理を行う構成であれば他の構成であってもよい。また、制御部２３０が有する各処理部の接続関係は、図１０に示した接続関係に限られず、他の接続関係であってもよい。
【０１０３】
（生成部２３２）
生成部２３２は、受付部１３１により受け付けられた多数のユーザに関するサービス情報に基づいて、通知情報を生成する。図９に示す例において、生成部２３２は、多数のユーザに関するサービス情報を分析し、サービス情報に基づく急上昇キーワードを抽出する。生成部２３２は、抽出した急上昇キーワードに関する通知情報ＮＣ２１を生成する。なお、生成部２３２による急上昇キーワードの抽出は、目的に応じて種々の従来技術を適宜用いて実現される。なお、配信装置２００は、急上昇キーワードを所定の外部装置５１から取得してもよい。この場合、生成部２３２は、急上昇キーワードの抽出を行わなくてもよい。
【０１０４】
生成部２３２は、端末装置１０へ配信する配信コンテンツを生成してもよい。例えば、生成部２３２は、受付部１３１により配信要求が受け付けられた場合、コンテンツ情報記憶部１２１に記憶されたコンテンツや広告情報記憶部１２２に記憶された広告コンテンツを加工して配信コンテンツを生成してもよい。この場合、生成部２３２は、端末装置１０に表示する形式に応じて、コンテンツ情報記憶部１２１に記憶されたコンテンツや広告情報記憶部１２２に記憶された広告コンテンツを加工し、配信コンテンツを生成してもよい。なお、配信装置２００が、コンテンツ情報記憶部１２１に記憶されたコンテンツや広告情報記憶部１２２に記憶された広告コンテンツを、配信コンテンツとして端末装置１０へ配信する場合、生成部２３２は、配信コンテンツの生成をしなくてもよい。
【０１０５】
〔６−１−３．配信処理のフロー〕
次に、図１２及び図１３を用いて、変形例１に係る配信システム２による配信処理の手順について説明する。まず、図１２を用いて配信装置２００における通知情報の配信までの処理の流れを示す。図１２は、変形例１に係る通知情報を配信する処理の一例を示すフローチャートである。
【０１０６】
図１２に示すように、配信装置２００の受付部１３１は、端末装置１０から配信要求を受け付ける（ステップＳ３０１）。例えば、図９に示す例において、受付部１３１は、端末装置１０において起動されたブラウザから配信要求を受け付ける。その後、配信装置２００の配信部１３３は、端末装置１０へコンテンツを配信する（ステップＳ３０２）。例えば、配信部１３３は、配信装置２００の生成部２３２により生成された配信コンテンツを端末装置１０へ配信する。
【０１０７】
また、受付部１３１は、外部装置５１からユーザに関するサービス情報を受け付ける（ステップＳ３０３）。図９に示す例において、受付部１３１は、外部装置５１からユーザＵ１に関するサービス情報を受け付ける。例えば、受付部１３１は、定期的（例えば、５分や３０分等）に外部装置５１から多数のユーザに関するサービス情報を受け付ける。
【０１０８】
そして、生成部２３２は、外部装置５１からサービス情報を受け付けたサービス情報を基に急上昇キーワードを抽出する（ステップＳ３０４）。なお、配信装置２００が急上昇キーワードを所定の外部装置５１から取得する場合、生成部２３２は、ステップＳ３０４の処理を行わなくてもよい。その後、生成部２３２は、急上昇キーワードを基に通知情報を生成する（ステップＳ３０５）。図９に示す例において、生成部２３２は、受付部１３１により外部装置５１から受け付けられたサービス情報を基に、急上昇キーワード「うどん」に関する通知情報ＮＣ２１を生成する。その後、配信部１３３は、通知情報を端末装置１０へ配信する（ステップＳ３０６）。なお、配信部１３３は、ステップＳ３０１において配信コンテンツとともに通知情報を端末装置１０へ配信してもよい。
【０１０９】
次に、図１３を用いて端末装置１０における通知情報の表示までの処理の流れを示す。図１３は、変形例１に係る通知情報を表示する処理の一例を示すフローチャートである。
【０１１０】
図１３に示すように、端末装置１０の要求部１５１は、配信装置２００へ配信要求を送信する（ステップＳ４０１）。例えば、図９に示す例において、要求部１５１は、端末装置１０において起動されたブラウザによる配信要求を配信装置２００へ送信する。その後、端末装置１０の受信部１５２は、配信装置２００からコンテンツを受信する（ステップＳ４０２）。例えば、受信部１５２は、配信装置２００から配信コンテンツを受信する。そして、端末装置１０の表示部１５３は、配信装置２００から受信したコンテンツを表示する（ステップＳ４０３）。例えば、表示部１５３、配信装置２００から受信した配信コンテンツを表示する。
【０１１１】
そして、受信部１５２は、通知情報を受信する（ステップＳ４０４）。図９に示す例において、受信部１５２は、配信装置２００から通知情報ＮＣ２１を受信する。なお、受信部１５２は、ステップＳ４０２においてコンテンツとともに通知情報を受信してもよい。
【０１１２】
通知情報の受信後において表示するコンテンツを変更した場合（ステップＳ４０５：Ｙｅｓ）、表示部１５３は、コンテンツとともに通知情報を表示する（ステップＳ４０６）。図９に示す例において、ユーザのフリック操作等により表示するコンテンツが変更された場合、表示部１５３は、次のコンテンツとともに通知情報を表示する。具体的には、表示部１５３は、次のコンテンツＣＴ１４、ＣＴ１５、広告コンテンツＡＣ１２とともに通知情報ＮＣ２１を表示する。なお、表示するコンテンツが変更されない場合（ステップＳ４０５：Ｎｏ）、例えば、表示部１５３は、ステップＳ４０５の判定を繰り返す。
【０１１３】
〔６−２．変形例２：通知情報は緊急情報〕
上述した実施形態及び変形例１においては次のコンテンツを表示する際に、通知情報を表示する場合を例に説明したが、通知情報が緊急を要する情報（以下、「緊急情報」とする場合がある）である場合、表示されているコンテンツ間に差し込ませて通知情報を表示してもよい。この点について、図１４を用いて説明する。図１４は、変形例２に係る配信処理の一例を示す図である。なお、実施形態と同一部分には、同一符号を付して説明を省略する。変形例２に係る配信システム３においては、緊急情報である通知情報が配信される。図１４に示す例においては、配信装置２００が、緊急情報である通知情報を端末装置１０へ配信する場合を示す。なお、配信システム３の配信装置は、配信装置１００であってもよい。
【０１１４】
〔６−２−１．配信処理〕
外部装置５２は、配信装置２００が提供する配信サービス以外のサービスを提供する情報処理装置である。例えば、外部装置５２は、緊急を要する情報を配信するサービスを提供する情報処理装置である。なお、外部装置５２は、配信装置２００が提供する配信サービス以外のサービスであれば、どのようなサービスを提供する情報処理装置であってもよい。図１４に示す例においては、外部装置５２が、地震に関する緊急情報を配信するサービスを行う情報処理装置である場合を示す。
【０１１５】
以下、図１４を用いて、配信処理の一例を説明する。図１４に示す例においては、ユーザがユーザＵ１である場合を示す。図１４に示すように、ユーザＵ１は端末装置１０で起動されたブラウザを操作し、配信装置２００にコンテンツの配信要求を送信する（ステップＳ３１）。
【０１１６】
端末装置１０から配信要求を受け付けた配信装置２００は、端末装置１０に配信装置２００が提供する配信サービスの配信コンテンツを配信する（ステップＳ３２）。そして、端末装置１０は、配信装置２００から受信した配信コンテンツを表示する（ステップＳ３３）。すなわち、端末装置１０は、ブラウザ中のページＷ３１に配信コンテンツを一覧表示する。図１４に示す例においては、端末装置１０中のページＷ３１には、コンテンツＣＴ１１、コンテンツＣＴ１２、広告コンテンツＡＣ１１、コンテンツＣＴ１３の順に上下方向に並んで一覧表示される。
【０１１７】
なお、ページＷ３１に表示されたコンテンツＣＴ１１〜１３、広告コンテンツＡＣ１１は配信コンテンツの一部であり、ユーザは端末装置１０の表示画面にタッチした指Ｆ１をフリック操作することにより、表示を下へスクロールさせて、下に続く残りのコンテンツを表示させることができる。
【０１１８】
ここで、配信装置２００は、外部装置５２から地震の発生を知らせる緊急情報であるサービス情報を受け付ける（ステップＳ３４）。その後、配信装置２００は、外部装置５２から受け付けた緊急情報に基づいて生成した通知情報を端末装置１０へ配信する（ステップＳ３５）。なお、配信装置２００は、外部装置５２から受け付けた緊急情報を通知情報として端末装置１０へ配信してもよい。
【０１１９】
通知情報を受信した端末装置１０は、受信した通知情報が緊急情報であるため、表示されているコンテンツ間に差し込ませて通知情報を表示する（ステップＳ３６）。図１４に示す例において、端末装置１０中のページＷ３１には、コンテンツＣＴ１２と広告コンテンツＡＣ１１との間に通知情報ＮＣ３１が差し込まれて表示される。このように、端末装置１０は、通知情報ＮＣ３１が緊急を要する情報であるため、通知情報ＮＣ３１を受信した時点で表示されているコンテンツ間に差し込ませて、通知情報ＮＣ３１を一覧表示する。このように、配信システム３においては、緊急を要する通知情報は、ユーザの操作によらず、端末装置１０が受信後すぐに表示されるため、ユーザが緊急を要する情報が通知されたことを確認することができる。
【０１２０】
〔６−３．カテゴリ毎のコンテンツ表示〕
なお、端末装置１０において、コンテンツは、カテゴリ毎に分類されて表示されてもよい。この点について、図１５を用いて説明する。図１５は、端末装置におけるコンテンツの表示態様の一例を示す図である。図１５に示す端末装置は、カテゴリに基づいてコンテンツを表示する。
【０１２１】
図１５に示す例においては、コンテンツＷ４１には「すべて」のカテゴリＣＬ１１や「経済・ＩＴ」のカテゴリＣＬ１２や「スポーツ」のカテゴリＣＬ１３が含まれる。そして、ユーザは端末装置１０に表示されたカテゴリＣＬ１１〜ＣＬ１３等を選択しカテゴリを切り替えることにより、選択したカテゴリに分類されるコンテンツを表示させる。
【０１２２】
まず、図１５に示す例における左側の端末装置１０では、「経済・ＩＴ」のカテゴリＣＬ１２が選択されており、端末装置１０には、コンテンツＷ４１に含まれるカテゴリ「経済・ＩＴ」に分類されるコンテンツＣＴ２１〜ＣＴ２４が表示される。以下では、端末装置１０は、ステップＳ４１におけるカテゴリの切替前に、図１に示すステップＳ１４〜Ｓ１７の同様の処理により配信装置１００から通知情報ＮＣ１１の配信を受けた場合を例に説明する。この場合、配信装置１００は、コンテンツＣＴ２５〜ＣＴ２７と同じ表示態様となるように生成した通知情報ＮＣ１１を端末装置１０へ配信する。なお、端末装置１０は、ステップＳ４１におけるカテゴリの切替前に、配信装置２００から通知情報の配信を受けてもよい。
【０１２３】
そして、ユーザは、端末装置１０に表示された「スポーツ」のカテゴリＣＬ１３を選択する（ステップＳ４１）。これにより、端末装置１０に表示されるコンテンツが「経済・ＩＴ」に関連するコンテンツＣＴ２１〜ＣＴ２４から「スポーツ」に関連するコンテンツＣＴ２５〜ＣＴ２７に切り替わる。
【０１２４】
ここで、端末装置１０は、次に表示されるコンテンツに通知情報を割り込ませて表示させる。図１５に示す例において、端末装置１０は、カテゴリ「スポーツ」に分類される部分コンテンツＣＴ２５〜ＣＴ２７とともに通知情報ＮＣ１１を表示する。具体的には、端末装置１０中のページＷ４１には、コンテンツＣＴ２５、通知情報ＮＣ１１、コンテンツＣＴ２６、コンテンツＣＴ２７の順に上下方向に並んで一覧表示される。このように、端末装置１０において、通知情報ＮＣ１１が、コンテンツＣＴ２５とコンテンツＣＴ２６との間に差し込まれて一覧表示される。
【０１２５】
〔７．効果〕
上述してきたように、実施形態に係る配信装置１００及び変形例１、２に係る配信装置２００は、配信部１３３を有する。配信部１３３は、コンテンツ（実施形態においては「配信コンテンツ」。以下同じ）を一覧表示する端末装置１０に、端末装置１０を利用するユーザへ通知するコンテンツ以外の通知情報であって、コンテンツとともに一覧表示される通知情報を配信する。
【０１２６】
これにより、実施形態に係る配信装置１００及び変形例１、２に係る配信装置２００は、通知情報をユーザが閲覧しているコンテンツとともに表示されるように配信することができるため、通知情報をユーザに視認可能性が高い態様で、ユーザに通知することができる。また、配信装置１００、２００は、配信コンテンツに重畳させることなく、配信コンテンツと調和した態様で通知情報が表示されるように配信することができるため、ユーザの満足度を低下させることなく、通知情報をユーザに適切に通知することができる。すなわち、配信装置１００、２００は、ユーザに適切に情報を通知することができる。
【０１２７】
また、実施形態に係る配信装置１００及び変形例１、２に係る配信装置２００は、受付部１３１を有する。受付部１３１は、端末装置１０から配信要求を受け付ける。また、配信部１３３は、配信要求を送信した端末装置１０に、通知情報を配信する。
【０１２８】
これにより、実施形態に係る配信装置１００及び変形例１、２に係る配信装置２００は、配信要求を送信した端末装置１０を利用するユーザが閲覧しているコンテンツとともに表示されるように通知情報を配信することができるため、ユーザに適切に情報を通知することができる。
【０１２９】
また、実施形態に係る配信装置１００及び変形例１、２に係る配信装置２００において、配信部１３３は、コンテンツの配信サービス以外のサービスに関する通知情報を配信する。
【０１３０】
これにより、実施形態に係る配信装置１００及び変形例１、２に係る配信装置２００は、提供するサービス以外のサービスに関する通知情報を端末装置１０に配信することにより、通知情報により他のサービスに関する情報をユーザに通知することができる。
【０１３１】
また、実施形態に係る配信装置１００及び変形例１、２に係る配信装置２００において、配信部１３３は、コンテンツの配信サービス以外のサービスの利用を促す通知情報を配信する。
【０１３２】
これにより、実施形態に係る配信装置１００及び変形例１、２に係る配信装置２００は、提供するサービス以外のサービスの利用を促す通知情報を端末装置１０に配信することにより、通知情報によりサービスの利用を促すことができる。
【０１３３】
また、実施形態に係る配信装置１００及び変形例１、２に係る配信装置２００において、配信部１３３は、コンテンツの配信サービス以外であってユーザが利用中のサービスによりユーザに通知される通知情報を配信する。
【０１３４】
これにより、実施形態に係る配信装置１００及び変形例１、２に係る配信装置２００は、ユーザが利用中のサービスによりユーザに通知される通知情報を配信することにより、ユーザが利用中のサービスの利便性を向上させることができ、ユーザの満足度を高めることができる。
【０１３５】
また、実施形態に係る配信装置１００及び変形例１、２に係る配信装置２００において、配信部１３３は、ユーザが利用中のサービスにおけるユーザに関するサービス情報に基づく通知情報を配信する。
【０１３６】
これにより、実施形態に係る配信装置１００及び変形例１、２に係る配信装置２００は、外部装置５０、５１、５２が提供するサービスに関する通知情報を配信することができる。すなわち、配信装置１００、２００は、配信装置１００、２００以外の装置が提供するサービスに関する情報を配信することができる。
【０１３７】
また、実施形態に係る配信装置１００及び変形例１、２に係る配信装置２００において、配信部１３３は、通知情報として、メールサービスに関する情報、または電子商取引サービスに関する情報、または気象情報サービスに関する情報、または地震情報サービスに関する情報、またはトレンドに関する情報、またはメッセージサービスに関する情報、またはソーシャルネットワーキングサービスサービスに関する情報、または音楽配信サービスに関する情報、または動画配信サービスに関する情報、または株価情報サービスに関する情報、または通話サービスに関する情報、または位置情報サービスに関する情報を配信する。
【０１３８】
これにより、実施形態に係る配信装置１００及び変形例１、２に係る配信装置２００は、様々なサービスに関する通知情報を配信することができる。
【０１３９】
また、実施形態に係る配信装置１００及び変形例１、２に係る配信装置２００において、配信部１３３は、コンテンツがスクロール方向に並べて表示される端末装置１０に、コンテンツとともにスクロール方向に並べて表示される通知情報を配信する。
【０１４０】
これにより、実施形態に係る配信装置１００及び変形例１、２に係る配信装置２００は、通知情報をユーザが閲覧しているコンテンツとともに表示されるように配信することができるため、通知情報をユーザに視認可能性が高い態様で、ユーザに通知することができる。また、配信装置１００、２００は、配信コンテンツに重畳させることなく、配信コンテンツと調和した態様で通知情報が表示されるように配信することができるため、ユーザの満足度を低下させることなく、通知情報をユーザに適切に通知することができる。すなわち、配信装置１００、２００は、ユーザに適切に情報を通知することができる。 
【０１４１】
また、実施形態に係る配信装置１００及び変形例１、２に係る配信装置２００において、配信部１３３は、コンテンツの各々が複数の表示形式のいずれかにより表示される端末装置１０に、複数の表示形式から選択される表示形式で表示される通知情報を配信する。
【０１４２】
これにより、実施形態に係る配信装置１００及び変形例１、２に係る配信装置２００は、通知情報の内容や重要度等に応じて適切に通知情報の表示形式を選択して、端末装置１０に表示させることができる。そのため、配信装置１００、２００は、ユーザの満足度を低下させることなく、通知情報をユーザに適切に通知することができる。すなわち、配信装置１００、２００は、ユーザに適切に情報を通知することができる。
【０１４３】
また、実施形態に係る配信装置１００及び変形例１、２に係る配信装置２００において、配信部１３３は、コンテンツが所定に表示形式により表示される端末装置１０に、所定に表示形式で表示される通知情報を配信する。
【０１４４】
これにより、実施形態に係る配信装置１００及び変形例１、２に係る配信装置２００は、通知情報をコンテンツと同じ表示形式で端末装置１０に表示させることができる。そのため、配信装置１００、２００は、ユーザの満足度を低下させることなく、通知情報をユーザに適切に通知することができる。すなわち、配信装置１００、２００は、ユーザに適切に情報を通知することができる。
【０１４５】
また、実施形態に係る配信装置１００及び変形例１、２に係る配信装置２００において、配信部１３３は、通知情報を表示中のコンテンツ間に差し込ませて表示する端末装置１０に、通知情報を配信する。
【０１４６】
これにより、実施形態に係る配信装置１００及び変形例１、２に係る配信装置２００は、通知情報の内容や重要度等に応じて表示中のコンテンツ間に差し込んだ態様で通知情報を表示させることができる。例えば、配信装置１００、２００は、緊急を要する情報である場合、ユーザの操作によらず通知情報を端末装置１０に表示させることができるため、ユーザの満足度を高めることができる。
【０１４７】
また、実施形態に係る配信装置１００及び変形例１、２に係る配信装置２００において、配信部１３３は、通知情報が所定の条件を満たす場合、端末装置１０に通知情報を配信する。
【０１４８】
これにより、実施形態に係る配信装置１００及び変形例１、２に係る配信装置２００は、緊急を要する通知情報を即時にユーザに通知することができる。例えば、配信装置１００、２００は、緊急を要する情報である場合、配信要求の有無に関わらず通知情報を端末装置１０に表示させることができるため、ユーザの満足度を高めることができる。
【０１４９】
また、実施形態及び変形例１、２に係る端末装置１０は、受信部１５２と、表示部１５３とを有する。受信部１５２は、端末装置１０を利用するユーザへの通知情報を受信する。表示部１５３は、受信部１５２により受信された通知情報を、通知情報以外のコンテンツとともに一覧表示する。
【０１５０】
これにより、実施形態及び変形例１、２に係る端末装置１０は、通知情報をユーザが閲覧しているコンテンツとともに表示することができるため、通知情報をユーザに視認可能性が高い態様で、ユーザに通知することができる。また、端末装置１０は、配信コンテンツに重畳させることなく、配信コンテンツと調和した態様で通知情報を表示することができるため、ユーザの満足度を低下させることなく、通知情報をユーザに適切に通知することができる。すなわち、端末装置１０は、ユーザに適切に情報を通知することができる。
【０１５１】
〔８．ハードウェア構成〕
上述してきた実施形態に係る配信装置１００及び変形例１、２に係る配信装置２００は、例えば図１５に示すような構成のコンピュータ１０００によって実現される。図１５は、配信装置の機能を実現するコンピュータの一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１５２】
ＣＰＵ１１００は、ＲＯＭ１３００またはＨＤＤ１４００に格納されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を格納する。
【０１５３】
ＨＤＤ１４００は、ＣＰＵ１１００によって実行されるプログラム、及び、かかるプログラムによって使用されるデータ等を格納する。通信インターフェイス１５００は、ネットワークＮを介して他の機器からデータを受信してＣＰＵ１１００へ送り、ＣＰＵ１１００が生成したデータをネットワークＮを介して他の機器へ送信する。
【０１５４】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、生成したデータを入出力インターフェイス１６００を介して出力装置へ出力する。
【０１５５】
メディアインターフェイス１７００は、記録媒体１８００に格納されたプログラムまたはデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１５６】
例えば、コンピュータ１０００が実施形態に係る配信装置１００及び変形例１、２に係る配信装置２００として機能する場合、コンピュータ１０００のＣＰＵ１１００は、ＲＡＭ１２００上にロードされたプログラムを実行することにより、制御部１３０、２３０の機能を実現する。コンピュータ１０００のＣＰＵ１１００は、これらのプログラムを記録媒体１８００から読み取って実行するが、他の例として、他の装置からネットワークＮを介してこれらのプログラムを取得してもよい。
【０１５７】
以上、本願の実施形態及び変形例１、２のいくつかを図面に基づいて詳細に説明したが、これらは例示であり、発明の開示の行に記載の態様を始めとして、当業者の知識に基づいて種々の変形、改良を施した他の形態で本発明を実施することが可能である。
【０１５８】
〔９．その他〕
また、上記実施形態及び変形例１、２において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１５９】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１６０】
また、上述してきた実施形態及び変形例１、２は、処理内容を矛盾させない範囲で適宜組み合わせることが可能である。
【０１６１】
また、上述してきた「部（section、module、unit）」は、「手段」や「回路」などに読み替えることができる。例えば、受付部は、受付手段や受付回路に読み替えることができる。
【符号の説明】
【０１６２】
１  配信システム
１００  配信装置
１２１  コンテンツ情報記憶部
１２２  広告情報記憶部
１３０  制御部
１３１  受付部
１３２  生成部
１３３  配信部
１０  端末装置
１５１  要求部
１５２  受信部
１５３  表示部
Ｎ  ネットワーク
【要約】
【課題】ユーザに適切に情報を通知すること。
【解決手段】本願に係る配信装置は、配信部を有する。配信部は、コンテンツを一覧表示する端末装置に、端末装置を利用するユーザへ通知するコンテンツ以外の通知情報であって、コンテンツとともに一覧表示される通知情報を配信する。例えば、配信部は、コンテンツがスクロール方向に並べて表示される端末装置に、コンテンツとともにスクロール方向に並べて表示される通知情報を配信する。また、例えば、配信部は、コンテンツが所定に表示形式により表示される端末装置に、所定に表示形式で表示される通知情報を配信する。
【選択図】図２【図１】
0006042947.tif 000002
【図２】
0006042947.tif 000003
【図３】
0006042947.tif 000004
【図４】
0006042947.tif 000005
【図５】
0006042947.tif 000006
【図６】
0006042947.tif 000007
【図７】
0006042947.tif 000008
【図８】
0006042947.tif 000009
【図９】
0006042947.tif 000010
【図１０】
0006042947.tif 000011
【図１１】
0006042947.tif 000012
【図１２】
0006042947.tif 000013
【図１３】
0006042947.tif 000014
【図１４】
0006042947.tif 000015
【図１５】
0006042947.tif 000016
【図１６】
0006042947.tif 000017